(57)【要約】【課題】携帯端末装置の外形寸法を大きくすること無く、また、携帯端末装置の利便性を損なうことなく、表示部等の汚れを拭き取るためのクリーナを携帯することが可能となる携帯端末装置を提供する。【解決手段】表示手段と、表示手段を拭き取るためのクリーナ部を備えた、筐体に着脱可能なカバー手段と、筐体に設けられた、カバー手段を収納する収納手段と、を有し、カバー手段が収納手段に収納された場合、クリーナ部は筐体の内部に収納され、かつ、カバー手段は筐体と一体となることを特徴とする。【選択図】図１
2008113320.tif 000002
【特許請求の範囲】
【請求項１】
表示手段と、
前記表示手段を拭き取るためのクリーナ部を備えた、筐体に着脱可能なカバー手段と、
前記筐体に設けられた、前記カバー手段を収納する収納手段と、を有し、
前記カバー手段が前記収納手段に収納された場合、前記クリーナ部は前記筐体の内部に収納され、かつ、前記カバー手段は前記筐体と一体となることを特徴とする携帯端末装置。
【請求項２】
前記カバー手段は、前記収納手段に嵌合されることにより、前記筐体と一体となって収納されることを特徴とする請求項１記載の携帯端末装置。
【請求項３】
前記カバー手段は、前記クリーナ部が備えられた面に、所定数の突起部を備え、
前記カバー手段が前記表示手段の拭き取りに用いられる場合、前記突起部が摺動ガイドとして機能することを特徴とする請求項２記載の携帯端末装置。
【請求項４】
前記カバー手段は、前記収納手段にスライドされることにより、前記筐体と一体となって収納されることを特徴とする請求項１記載の携帯端末装置。
【請求項５】
前記カバー手段は、略直方体状であり、
前記カバー手段が前記表示手段の拭き取りに用いられる場合、前記カバー手段の側面壁が摺動ガイドとして機能することを特徴とする請求項４記載の携帯端末装置。
【請求項６】
前記カバー手段は、所定の意匠を備えた加飾カバー、又は、電池が収納されている部分の電池カバーであることを特徴とする請求項１から５のいずれか１項に記載の携帯端末装置。
【発明の詳細な説明】
【技術分野】
【０００１】
本発明は、表示部等を拭き取るためのクリーナを備える携帯端末装置に関する。
【背景技術】
【０００２】
携帯電話の表示窓は、顔や指に接触して皮脂や指紋などの汚れが付着する。ユーザはその汚れを、自分の衣服で拭き取ったり、ティッシュペーパや表示窓等を拭き取るための専用クリーナ（以下、クリーナという）などを別に携帯しておき、それらを使用して拭き取ったりしている。自分の衣服で拭き取る場合は、衣服が汚れるという問題がある。一方、クリーナを使用する場合は、そのクリーナを携帯電話と一緒に携帯しなければならないという問題があり、また、このようなクリーナは、携帯ストラップとして外付けすることができるが、外付けのクリーナは、携帯電話の取り扱いや収納の時に邪魔になるなど、その煩雑さが問題となる。
【０００３】
携帯電話のクリーナに関する従来技術例として、表層をなす拭取布の裏面に、粘着性を有する樹脂から成る粘着材層を設け、その拭取布として、断面がくさび状部分の集合体となっった、極めて細い繊維から成るものを使用し、粘着材層により、携帯電話機に対して着脱できるようにし、携帯電話機から取り外すと、拭取布で汚れを拭き取れるようにした「携帯電話機用クリーナ」がある（例えば、特許文献１参照）。
【特許文献１】実用新案登録第３１０２３５６号公報
【発明の開示】
【発明が解決しようとする課題】
【０００４】
しかしながら、特許文献１記載の発明は、拭取布が外部に露出した状態で携帯電話本体に保持されるので、拭取布自体が汚れてしまうおそれがある。また、その拭取布部分は、携帯電話本体の外部に粘着材層により装着される構成であるので、この拭取布部分が他のものに接触するなどして剥がれてしまい、紛失してしまうおそれもある。
【０００５】
本発明は、上記事情に鑑みてなされたものであり、表示部を拭き取るためのクリーナを、携帯端末装置に着脱可能な加飾カバーの裏面に貼付して装置本体へ内蔵するようにし、クリーナを携帯端末装置に常時装備させて置き、表示部等が汚れた時には、装備しているクリーナをすぐに取り出して拭き取りできる携帯端末装置を提供することを目的とする。
【課題を解決するための手段】
【０００６】
かかる目的を達成するために、請求項１記載の発明は、表示手段と、表示手段を拭き取るためのクリーナ部を備えた、筐体に着脱可能なカバー手段と、筐体に設けられた、カバー手段を収納する収納手段と、を有し、カバー手段が収納手段に収納された場合、クリーナ部は筐体の内部に収納され、かつ、カバー手段は筐体と一体となることを特徴とする。
【０００７】
請求項２記載の発明は、請求項１記載の発明において、カバー手段は、収納手段に嵌合されることにより、筐体と一体となって収納されることを特徴とする。
【０００８】
請求項３記載の発明は、請求項２記載の発明において、カバー手段は、クリーナ部が備えられた面に、所定数の突起部を備え、カバー手段が表示手段の拭き取りに用いられる場合、突起部が摺動ガイドとして機能することを特徴とする。
【０００９】
請求項４記載の発明は、請求項１記載の発明において、カバー手段は、収納手段にスライドされることにより、筐体と一体となって収納されることを特徴とする。
【００１０】
請求項５記載の発明は、請求項４記載の発明において、カバー手段は、略直方体状であり、カバー手段が表示手段の拭き取りに用いられる場合、カバー手段の側面壁が摺動ガイドとして機能することを特徴とする。
【００１１】
請求項６記載の発明は、請求項１から５のいずれか１項に記載の発明において、カバー手段は、所定の意匠を備えた加飾カバー、又は、電池が収納されている部分の電池カバーであることを特徴とする。
【発明の効果】
【００１２】
本発明によれば、携帯端末装置の外形寸法を大きくすること無く、また、携帯端末装置の利便性を損なうことなく、表示部等の汚れを拭き取るためのクリーナを携帯することが可能となる。
【発明を実施するための最良の形態】
【００１３】
以下、本発明を実施するための最良の形態について添付図面を参照して詳細に説明する。
【実施例１】
【００１４】
本発明の携帯端末装置の実施例として、折り畳み式携帯電話について説明する。本実施例の携帯電話は、図１に示すように、表示窓１０４を備えた上側筐体１０５と、操作キーや操作ボタン等を備えた下側筐体１１０とが、ヒンジ部等によって連結された折り畳み式携帯電話（以下、携帯電話という）である。図１の左側の図（以下、左図という）は、上側筐体１０５と、下側筐体１１０とを閉じた状態を示し、また、図１の右側の図（以下、右図という）は、上側筐体１０５と、下側筐体１１０とを開いた状態を示す。
【００１５】
本実施例の携帯電話は、図１の左図に示す加飾カバー１０１を、携帯電話本体（本実施例では、上側筐体１０５の背面）に着脱可能とする。この加飾カバー１０１は、略長方形状の板状部材であり、その表面には、模様、絵、図柄など様々な意匠が施されており、「着せ替えカバー（パネル）」として一般的に普及しているものである。本実施例では、この加飾カバー１０１の裏面において、ディスプレイ等の表示窓（表示部）１０４等の汚れを拭き取るためのクリーナ１０３が備えられている。また、この加飾カバー１０１の裏面には、図１の左図及び図２の上側の図（以下、上図という）に示すように、突起部である取付爪１０７が四隅に設けられている。
【００１６】
クリーナ１０３は、不織布、スポンジ、フェルト、スエード、織物、綿などの皮脂汚れを吸着する素材で構成されており、両面テープ、面ファスナ、粘着剤などの保持部材１０６を介して加飾カバー１０１の裏面に貼り付けられている。
【００１７】
一方、図１の左図に示すように、携帯電話の上側筐体１０５の背面（外側の面のこと。表示窓１０４が備えられている面が内側の面）には、凹部の空間である収納部１０２が設けられている。この収納部１０２は、図１の左図に示すように、取付爪１０７に対応する凹部１０８、及び、クリーナ１０３に対応する凹部１０９が形成されており、加飾カバー１０１の形状に対応した空間となっている。
【００１８】
そして、加飾カバー１０１の裏面に設けられた４つの取り付け爪１０７を、収納部１０２内に設けられた凹部１０８に嵌合し、かつ、加飾カバー１０１の裏面に設けられたクリーナ１０３を凹部１０９に嵌合することにより、加飾カバー１０１は収納部１０２に収納される。すなわち、加飾カバー１０１の表面が上側筐体１０５の背面と一体となり、クリーナ１０３は上側筐体１０５の内部に収納された状態となる。
【００１９】
ユーザは、表示窓１０４が汚れた場合、上側筐体１０５から加飾カバー１０１を外し、その裏面に備えられたクリーナ１０３を表示窓１０４の表面に当てて汚れを拭き取る。この時、図１の右図に示すように、取付爪１０７を、上側筐体１０５の外形に沿う位置に噛み合わせ、加飾カバー１０１の摺動ガイドとして機能させる。このガイド構造により、表示窓１０４上において、クリーナ１０３を上下（図中に示す矢印の方向）に移動させることができるので、簡単にかつ均一に表示窓１０４を拭くことができる。
【００２０】
ここで、上記ガイド構造についてさらに詳細に説明する。図２の上図に示すように、加飾カバー１０１の裏面には、四隅に取付爪１０７がそれぞれ設けられている。取付爪１０７の爪間距離は、携帯電話の上側筐体１０５の幅２０２よりも大きい寸法である。これら取付爪１０７は、上述したように、クリーナ１０３で表示窓１０４を拭き取る際に、上側筐体１０５の外形との位置あわせと摺動ガイドとして機能する。
【００２１】
図２の上図に示すクリーナ１０３の幅２０４は、表示窓１０４の幅２０３より大きい。よって、クリーナ１０３を用いて表示窓１０４の全幅を拭き取ることが可能となる。
【００２２】
表示窓１０４を拭き取る時には、図１右図に示すように、加飾カバー１０１を、表示窓１０４上にまたぐように置き、加飾カバー１０１表面を指などで押さえて適度な荷重を加えながら、取付爪１０７と上側筐体１０５の外形とをガイドにして上下に摺動させる。これにより、クリーナ１０３を用いて表示窓１０４部の汚れを均一に拭取ることができる。拭き取りが完了したら、加飾カバー１０１を上側筐体１０５の収納部１０２に装着して収納する。
【００２３】
なお、クリーナ１０３は、表示窓１０４のみならず、下側筐体１１０に備えられた操作ボタンや操作キー等を拭き取るために用いられてもよい。
【実施例２】
【００２４】
本発明の実施例２ついて図３を参照して説明する。
上記実施例１では、携帯電話に対して加飾カバーを嵌合して収納する構成としたが、本実施例では、図３の左図に示すように、略直方体状の加飾カバー３０１を携帯電話の上側筐体３０５の背面に対して、筐体上方からスライドさせて収納する構成とする。加飾カバー３０１が収納されると、加飾カバー３０１の表面は上側筐体３０５の背面と一体となり、クリーナ３０６は上側筐体３０５の内部に収納された状態となる。
【００２５】
表示窓３０４を拭き取る際には、収納された加飾カバー３０１を上方にスライドさせて上側筐体３０５から取り外した後、図３の右図に示すように、上側筐体３０５の上方から、加飾カバー３０１をスライドさせて、加飾カバー３０１のクリーナ３０６と表示窓３０４とが接触するように取り付ける。
【００２６】
本実施例では、図３の右上図（ＡＡ断面図）に示すように、表示窓３０４の外側幅寸法３０２と、加飾カバー３０１を取り付ける部分の外側幅３０３を一致させた形状としている。よって、上側筐体３０５から取り外した加飾カバー３０１の側面壁が表示窓３０４の摺動ガイドとして機能するので、上記実施例１のように（図１の右図参照）、表示窓３０４上において、クリーナ３０６を上下に移動させることができ、簡単にかつ均一に表示窓３０４を拭くことができる。
【００２７】
なお、本実施例では、加飾カバー３０１を上側筐体３０５に収納する構成としたが、一般的に下側筐体に備えられている電池カバー（充電電池を収納している部分のカバー）を、加飾カバー３０１の代わりに使用するように構成してもよい。
【００２８】
以上説明したように、本発明の実施例１，２によれば、以下の効果を奏する。
携帯電話の本体にクリーナを着脱可能とすることにより、携帯電話本体とは別にクリーナを携帯することなく、必要に応じてクリーナを使用でき、常に快適な表示状態を維持できる。
また、衣服で拭き取ることによる衣服の汚れの防止や別のクリーナを一緒に携帯する煩雑さも解消される。
また、携帯電話本体と加飾カバーとにガイド構造を持たせることにより、表示窓を簡単に均一に拭き取ることができる。
【００２９】
以上、本発明の各実施例について説明したが、上記各実施例の記載に限定されるものではなく、その要旨を逸脱しない範囲において種々の変形が可能である。
【産業上の利用可能性】
【００３０】
本発明は、表示部等を拭き取るためのクリーナを携帯する必要がある端末装置全般に適用できる。
【図面の簡単な説明】
【００３１】
【図１】本発明の実施例１に係る携帯電話の外観を示す斜視図である。
【図２】本発明の実施例１に係る加飾カバーの裏面及び携帯電話の上側筐体の外観を示す正面図である。
【図３】本発明の実施例２に係る携帯電話の外観を示す斜視図である。
【符号の説明】
【００３２】
１０１、３０１    加飾カバー
１０２    収納部
１０３、３０６    クリーナ
１０４、３０４    表示窓
１０５、３０５    上側筐体
１０６    保持部材
１０７    取付爪
１０８    取付爪用凹部
１０９、３０８    クリーナ用凹部
１１０、３０７    下側筐体
２０１    取付爪間の距離
２０２    上側筐体の幅
２０３    表示窓の幅
２０４    クリーナの幅
３０２    表示窓の外側幅寸法
３０３    加飾カバーを取り付ける部分の外側幅
【図１】
2008113320.tif 000003
【図２】
2008113320.tif 000004
【図３】
2008113320.tif 000005